(57)【要約】【課題】消費者が抱くかも知れない化粧料使用後のイメージのばらつきを極力少なくする毛髪用化粧料の展示装置を提供する。【解決手段】毛髪に使用する化粧料の商品としての訴求力を高める展示装置であって、毛髪用化粧料使用前をイメージさせる毛髪を束ねた第１の毛束１１ａ、１２ａと毛髪用化粧料使用後をイメージさせる毛髪を束ねた第２の毛束１１ｂ、１２ｂとを一組として、夫々台紙１１ｃ、１２ｃに取り付けた毛束サンプル１１、１２と、上記毛髪用化粧料の試供品１０′を配置するための試供品置き部１４を備えて構成する。【選択図】          図１
0003153711.tif 000002
【実用新案登録請求の範囲】
【請求項１】
毛髪に使用する化粧料の商品としての訴求力を高める展示装置であって、
毛髪用化粧料使用前をイメージさせる毛髪を束ねた第１の毛束と毛髪用化粧料使用後をイメージさせる毛髪を束ねた第２の毛束とを一組として台紙に取り付けた毛束サンプルと、
上記毛髪用化粧料の試供品を配置するための試供品置き部を備えて構成された
毛髪用化粧料の展示装置。
【請求項２】
毛髪に使用する化粧料の商品としての訴求力を高める展示装置であって、
毛髪用化粧料使用前をイメージさせる毛髪を束ねた第１の毛束と毛髪用化粧料使用後をイメージさせる毛髪を束ねた第２の毛束とを一組として台紙に取り付けた毛束サンプルと、
上記毛髪用化粧料の商品を配置するための商品置き部を有し、かつ、上記毛束サンプルの取り付け部を備えて構成された
毛髪用化粧料の展示装置。
【請求項３】
毛髪に使用する化粧料の商品としての訴求力を高める展示装置であって、
毛髪用化粧料使用前をイメージさせる毛髪を束ねた第１の毛束と毛髪用化粧料使用後をイメージさせる毛髪を束ねた第２の毛束とを一組として台紙に取り付けた毛束サンプルと、
上記毛髪用化粧料の試供品を配置するための試供品置き部と、
上記毛髪用化粧料の商品を配置するための商品置き部を有し、かつ、上記毛束サンプルの取り付け部を備えて構成された
毛髪用化粧料の展示装置。
【考案の詳細な説明】
【技術分野】
【０００１】
本考案は、毛髪に使用する化粧料の商品としての訴求力を高める展示装置に関するものである。
【背景技術】
【０００２】
小売店において化粧品、医薬部外品、医薬等を展示販売する場合、商品使用の効果を具体的に示すことが有効である。毛髪に使用するいわゆる各種トリートメントなどの商品については、例えば、ダメージを受けた毛髪が健康な毛髪に近付くなど、消費者の期待した状態になることを表現した写真や図柄、文言等から成る宣伝、広告によって働きかけることが行われている。しかし、その場合問題となるのは、文言については、宣伝、広告から消費者が受け取り、イメージする内容にばらつきを生じることであり、また、写真等については、リアル感の欠如ないしは現実とのギャップを生じることである。
【０００３】
この種の展示装置に関して提案されている発明、考案を調査すると、登録実用新案公報第３０９３９９０号の考案では、化粧料がヘアカラーである場合に、化粧料に関する情報を記載した情報板に色見本用毛束を取り付けた化粧料容器陳列トレイを開示している。また、特開２００８−３３３４０号公報の発明では、毛髪化粧料使用後の色彩や手触り感を店頭にて手に取って観察し易いように毛束見本を表示部に吊り下げた毛髪化粧料用陳列トレイを提案している。
【０００４】
上記のような陳列トレイによれば、毛髪を手に取って観察することができるので、消費者によるイメージ形成には余りばらつきが生じないように思われる。しかしながら、陳列トレイに配置されているのはヘアカラーなどの毛髪用化粧料を使用したあとの結果物のみであり、使用する前の毛髪がどのように変わったのかを知ることができないので、その化粧料を実際に使用したものであるのか、消費者が使用した場合にはどうなるのか、というような疑問を生じることもあり得る。
【０００５】
【特許文献１】実用新案登録第３０９３９９０号
【特許文献２】特開２００８-３３３４０号
【考案の開示】
【考案が解決しようとする課題】
【０００６】
本考案は前記の点に着目してなされたもので、その課題は、消費者が抱くかも知れない化粧料使用後のイメージのばらつきを極力少なくする毛髪用化粧料の展示装置を提供することである。また、本考案の他の課題は、化粧料使用前後のイメージにより近い毛束サンプルを視覚的かつ具体的に提示することができる毛髪用化粧料の展示装置を提供することである。
【課題を解決するための手段】
【０００７】
前記の課題を解決するため、本考案は、毛髪に使用する化粧料の商品としての訴求力を高める展示装置として、毛髪用化粧料使用前をイメージさせる毛髪を束ねた第１の毛束と毛髪用化粧料使用後をイメージさせる毛髪を束ねた第２の毛束とを一組として台紙に取り付けた毛束サンプルと、上記毛髪用化粧料の試供品を配置するための試供品置き部を備えて構成するという手段を講じたものである（請求項１）。本考案の装置は、上記のように毛束サンプルと試供品置き部とだけから成る構成を含むものであり、必ずしも実際の商品が陳列されていることを要しない。
【０００８】
また、本考案の展示装置は、毛髪用化粧料使用前をイメージさせる毛髪を束ねた第１の毛束と毛髪用化粧料使用後をイメージさせる毛髪を束ねた第２の毛束とを一組として台紙に取り付けた毛束サンプルと、上記毛髪用化粧料の商品を配置するための商品置き部を有し、かつ、上記毛束サンプルの取り付け部を備えて構成されたものを含む（請求項２）。この構成を取る場合、毛束サンプルと商品置き部とだけから成る最小の陳列トレイを構成することができる。
【０００９】
また、本考案の展示装置は、毛髪用化粧料使用前をイメージさせる毛髪を束ねた第１の毛束と毛髪用化粧料使用後をイメージさせる毛髪を束ねた第２の毛束とを一組として台紙に取り付けた毛束サンプルと、上記毛髪用化粧料の試供品を配置するための試供品置き部と、上記毛髪用化粧料の商品を配置するための商品置き部を有し、かつ、上記毛束サンプルの取り付け部を備えて構成されたものであっても良い（請求項３）。この構成は、毛束サンプル、試供品置き部及び商品置き部から成っているので、毛髪用化粧料の、いわゆる陳列トレイとして必要な全ての要件を備えている。
【００１０】
本発明において「毛髪」とは、天然自然の毛髪とは限らず、化学繊維を用いたいわゆる人工毛髪の類を含む。従って、一組の毛束サンプルについても、頭髪の現物そのものと、頭髪の現物に実際に毛髪用化粧料を適用したものから形成されていることが望ましいけれども、上記人工毛髪の場合には、人工毛髪と、人工毛髪に毛髪用化粧料と同様の効果を有する処理剤（人口毛髪用薬剤）を用いて加工したものによって形成された毛束サンプルであっても良い。
【００１１】
第１の毛束と第２の毛束とは同一の一房の毛髪を二つに分けたものであることがベストである。その一房の頭髪は、うねりのあるものでも、また、くせのあるものでも、展示目的に適合するものであれば良いが、一房として同一の頭髪から成っていることが、毛髪用化粧料の使用前後を比較するために望ましいからである。その一方を第１の毛束とし、他方に商品である毛髪用化粧料を実際に使用して処理したものを第２の毛束とするが、このようにして、化粧料使用前後のイメージにより近いサンプルを視覚的かつ具体的に提示することができる。
【００１２】
本考案の装置は、上記のように、毛束サンプル、試供品置き部、商品置き部の各要素を備えたものから成る構成を取ることができ、上記各要素を組み合わせておくために、各要素を接続手段によって結合することができる。接続手段は、軽量な毛束サンプルについては両面に接着面を有するテープ類、試供品置き部、商品置き部については、嵌め合わせ、差し込みなどの公知の手段を使用する。
【考案の効果】
【００１３】
本考案は以上のように構成されかつ作用するもので、化粧料使用前後をイメージさせる第１の毛束と第２の毛束を一組とした毛束サンプルを備えているから、消費者が抱くかも知れない化粧料使用後のイメージのばらつきを極力少なくする毛髪用化粧料の展示装置を提供ことができる。従って、本考案によれば、化粧料使用前後のイメージにより近い毛束サンプルを視覚的かつ具体的に提示することができるので、消費者の購買意欲に対して訴求力を持つ毛髪用化粧料の展示装置を提供することができる。
【考案を実施するための最良の形態】
【００１４】
以下図示の実施形態を参照して本考案をより詳細に説明する。図１は本考案に係る毛髪用化粧料の展示装置の一例を示している。各図において、１１は毛束サンプルを示しており、毛髪用化粧料使用前をイメージさせる毛髪を束ねた第１の毛束１１ａと、毛髪用化粧料使用後をイメージさせる毛髪を束ねた第２の毛束１１ｂとを一組として台紙１１ｃに取り付けたもので、台紙１１ｃは透明なケースに収められている。毛束サンプル１１はいわゆるくせ毛の例であり、第１の毛束１１ａはくせがあるが第２の毛束１１ｂはくせのない直毛になっている。つまりこの例の毛髪用化粧料は毛髪のうねり・くせを改善する用途の化粧料である。
【００１５】
１２はもう一つの毛束サンプルを示しており、同様に毛髪用化粧料使用前をイメージさせる毛髪を束ねた第１の毛束１２ａと、毛髪用化粧料使用後をイメージさせる毛髪を束ねた第２の毛束１２ｂとを一組として台紙１２ｃに取り付けたもので、台紙１２ｃは箱状のケースから成り、その正面に第１の毛束１２ａと第２の毛束１２ｂが露出した状態で取付けられている。毛束サンプル１２はボリューム不足の毛の例であり、第１の毛束１２ａは頼りないが第２の毛束１２ｂは自然なボリューム感と張りのある毛になっている。この例の毛髪用化粧料はハリ・コシの足りない毛髪を改善する用途の化粧料である。
【００１６】
１４は上記毛髪用化粧料の試供品置き部を示しており、試供品１０′を配置する台部
１５と、台部１５を支えるために台部１５の後方へアーム状に伸びた取り付け部１６とから成る。台部１５はボックス状の部分１５ａとその上面に開けられた試供品配置口１５ｂを有しており、台部背面に設けられた調整部材１５ｃによって、後述する商品置き部２０との間に適当な間隔を設けながら安定に配置することができるように設けられており、そのために商品置き部２０への取り付け用係合片１６ａを後部に有している。なお、説明の便宜上商品を符号１０で示し、試供品を符号１０′で示して化粧料の種類による区別はつけないものとする。
【００１７】
上記の試供品置き部１４は、また、毛束サンプル１２の取り付け台の機能をも果たしている。毛束サンプル１２は軽量なため、毛束サンプル取り付け部１３として両面に接着面を有する適切な大きさのテープを用い、ボックス状の部分１５ａの正面に、毛束サンプル１２をその裏面にて接着して固定するものである（図２参照）。図示の試供品置き部１４については、どの試供品もほぼ同程度の大きさ及び重量としているが、化粧品によっては大小の差を付けざるを得ないものもあるので、その場合にはそれぞれのサイズに応じた大きさ、強度の試供品置き部１４を形成する。ここでは図２によって説明したため一方の毛束サンプル１２について言及したが、他方の毛束サンプル１１の試供品置き部１４についても全く同様の構造で良い。
【００１８】
２０は上記毛髪用化粧料の商品を配置するための商品置き部を示す。図示の商品置き部２０は正面に設けられた広告面１７とその後部に位置する置き台１８とを具備している。広告面１７は、置き台１８の前端から立ち上がった立ち上がり部１７ａ、その上端の折り返し部１７ｂ、そこから下方へ垂れ下がる前板部１７ｃから成る立体構造を有し、その外面をほぼ相似形かつ透明のカバー１９により覆っている。従って、カバー１９にも立ち上がり部１９ａ、折り返し部１９ｂ、前板部１９ｃがあり、特に、広告面１７の折り返し部１７ｂ、前板部１７ｃと、透明なカバー１９の折り返し部１９ｂ、前板部１９ｃの位置には、印刷物から成る広告シート２１が挟み込まれ、当該商品に関する広告部分として使用される。１９ｆはほぼＪ字型の断面形状を有する止め板であり、広告面１７と透明なカバー１９の先端部分をそれぞれの下端部にて共通に止めている。
【００１９】
上記置き台１８は、文字通り商品を置く板状の台であり、広告面１７と一体の折り曲げ状に加工されている。このような形状は、量産時には射出成形或いは押し出し成形等によって形成することができるが、少数製造時にはプラスチックパネルを曲げ加工して形成することも可能である。広告面１７の立ち上がり部１７ａと透明なカバー１９の立ち上がり部１９ａの間には、上部に設けた凸部１７ｄと凹部１９ｄとの係合によって、広告面１７と透明なカバー１９を結合する手段が設けられている。
【００２０】
広告面１７の立ち上がり部１７ａと透明なカバー１９の立ち上がり部１９ａとの間は、また、前記取り付け部１６の取り付け用係合片１６ａの差し込み部２３として、さらに、置き台１８の上面を複数の区画に仕切るために設けた、仕切り板２２の取り付け部２４としても利用されている。この取り付け部２４は、仕切り板２２の前端に設けたスライダー片２２ａを挿入可能であり、その状態において左右方向へスライド可能に設けられているもので、複数個の仕切り板２２を任意の間隔で取り付けることができる。なお、符号２２ｂは係合穴であり、スライダー片２２ａの上部に商品の宣伝、広告のためのノボリ２５を差し込んで立てるために設けられている。
【００２１】
本考案の毛髪用化粧料の展示装置は、図示の例において毛束サンプル１１、１２、試供品置き部１４及び商品置き部２０から成るものとしても構成したものを挙げて説明した。しかし、本考案の展示装置は、毛束サンプル１１、１２と試供品置き部１４とだけから成るものとして、或いは毛束サンプル１１、１２と商品置き部２０とだけから成る最小の陳列トレイとしても構成することができるものである。そして、化粧料使用前後をイメージさせる第１の毛束１１ａ、１２ａと第２の毛束１１ｂ、１２ｂを一組とした毛束サンプル１１、１２を備えていることによって、消費者が抱くかも知れない化粧料使用後のイメージのばらつきを極力少なくすることができる。また、本考案によれば、化粧料使用前後のイメージにより近い毛束サンプル１１、１２を視覚的かつ具体的に提示しているので、消費者の購買意欲に対してより強い訴求力を持つことになる。
【図面の簡単な説明】
【００２２】
【図１】本考案に係る毛髪用化粧料の展示装置の一例を示す分解斜視図である。
【図２】同上の装置の要部断面図である。
【図３】同じく要部の分解斜視図である。
【符号の説明】
【００２３】
１１、１２  毛束サンプル
１３  毛束サンプル取り付け部としてのテープ
１４  試供品置き部
１５  台部
１６  取り付け部
１７  広告面
１８  置き台
１９  透明なカバー
２０  商品置き部
２１  広告シート
２２  仕切り板
２３  差し込み部
２４  取り付け部
２５  ノボリ
【図１】
0003153711.tif 000003
【図２】
0003153711.tif 000004
【図３】
0003153711.tif 000005